(57)【要約】【課題】全体サイズが小さくなった場合であっても、シェル間の接触信頼性を確保することの可能な構造を有するコネクタ組立体を提供すること。【解決手段】コネクタ組立体１０は、第１コネクタ１００を第２コネクタ２００に対して嵌合してなる。第１コネクタ１００は、第１シェル１３０を備えており、第２コネクタ２００は、第２シェル２３０を備えている。第１シェル１３０は、コンタクトのピッチ方向（Ｙ方向）に長手を有するように延びるバネ部１４０と、ピッチ方向と直交する方向へ変位可能となるようにバネ部１４０に支持された接点部１４２とを備えている。第１コネクタ１００と第２コネクタ２００との嵌合時に第２シェル２３０に対して少なくとも接点部１４２が接触することにより第１シェル１３０と第２シェル２３０とが接続される。【選択図】図７
2011175798.tif 000002
【特許請求の範囲】
【請求項１】
第１コネクタを第２コネクタに対して嵌合してなるコネクタ組立体であって、
前記第２コネクタは、第２シェルを備えており、
前記第１コネクタは、複数の第１コンタクトと、該複数の第１コンタクトをピッチ方向に列設保持する第１ハウジングと、該第１ハウジングを少なくとも部分的に覆う第１シェルとを備えており、
前記第１シェルは、前記ピッチ方向に長手を有するように延びるバネ部と、前記ピッチ方向と直交する方向へ変位可能となるように前記バネ部に支持された接点部とを備えており、
前記第１コネクタと前記第２コネクタとの嵌合時に前記第２シェルに対して少なくとも前記接点部が接触することにより前記第１シェルと前記第２シェルとが接続される
コネクタ組立体。
【請求項２】
請求項１記載のコネクタ組立体であって、
前記第１コネクタは、基板に搭載されて使用されるものであり、
前記第１シェルは、当該基板に対向する底板部を備えており、
前記バネ部は、前記底板部に形成されている
コネクタ組立体。
【請求項３】
請求項２記載のコネクタ組立体であって、
前記第１シェルは、前記底板部から延びる端子部であって前記基板に接続固定される端子部を更に備えている
コネクタ組立体。
【請求項４】
請求項２又は請求項３記載のコネクタ組立体であって、
前記第１ハウジングは主として前記第１コネクタの後半部において前記第１コンタクトを保持しており、
前記底板部は主として前記第１コネクタの前半部において前記ピッチ方向に長手を有するように設けられている
コネクタ組立体。
【請求項５】
請求項１乃至請求項４のいずれかに記載のコネクタ組立体であって、
前記バネ部及び前記接点部は少なくとも２組あり、
前記接点部は、前記第１シェルの前記ピッチ方向の中心に対して対称となるように設けられている
コネクタ組立体。
【請求項６】
請求項１乃至請求項５のいずれかに記載のコネクタ組立体であって、
前記接点部は、垂直方向に変位するように、前記バネ部に支持されている
コネクタ組立体。
【請求項７】
請求項１乃至請求項６のいずれかに記載のコネクタ組立体であって、
前記第１コネクタは、ロック受部を有しており、
前記第２コネクタは、複数の第２コンタクトと、該複数の第２コンタクトを保持する第２ハウジングと、該第２ハウジングに回転自在に保持されたロックバーとを更に備えており、
前記第２シェルは、前記第２ハウジングを少なくとも部分的にカバーするものであり、
前記ロックバーは、前記第１コネクタと前記第２コネクタとの嵌合時において倒す方向へ回動させられた際に、前記ロック受部に押しつけられ、それによって前記嵌合の状態がロックされる
コネクタ組立体。
【請求項８】
請求項７記載のコネクタ組立体であって、
前記第２コネクタは、前記ロックバーが前記ロック受部に押しつけられた状態において前記ロックバーが起きてしまうことを防止することにより前記ロックを維持するロック維持部を備えている
コネクタ組立体。
【請求項９】
請求項８記載のコネクタ組立体であって、
前記第１コネクタと前記第２コネクタとの前記嵌合がロックされている際、前記ロックバーは、垂直方向と直交する方向において前記ロック受部に押しつけられており、
前記ロックが維持されている状態において、前記ロック維持部は、前記垂直方向と斜交する方向において、前記ロックバーの上方に位置している
コネクタ組立体。
【請求項１０】
請求項９記載のコネクタ組立体であって、
前記嵌合がロックされている際、前記ロックバーは前後方向において前記ロック受部に押しつけられており、
前記ロックが維持されている状態において、前記ロック維持部は、前記垂直方向及び前記前後方向の双方と斜交する方向において、前記ロックバーの上方に位置している
コネクタ組立体。
【請求項１１】
請求項１０記載のコネクタ組立体であって、
前記ロックが維持されている状態において、前記ロック維持部は、前記垂直方向、前記前後方向及び前記ピッチ方向のいずれとも斜交する方向において、前記ロックバーの上方に位置している
コネクタ組立体。
【請求項１２】
請求項８乃至請求項１１のいずれかに記載のコネクタ組立体であって、
前記ロック維持部は、前記垂直方向と直交する方向において前記第１ハウジングから突出している
コネクタ組立体。
【請求項１３】
請求項１２記載のコネクタ組立体であって、
前記ロック維持部の表面は、少なくとも部分的に、金属からなる保護部により保護されている
コネクタ組立体。
【請求項１４】
請求項１３記載のコネクタ組立体であって、
前記保護部は、前記第２シェルの一部として形成されている
コネクタ組立体。
【請求項１５】
請求項８乃至請求項１４のいずれかに記載のコネクタ組立体であって、
前記ロックバーを倒す方向に回動させた際に、前記ロックバーは変形しながら前記ロック維持部を乗り越えるように構成されている
コネクタ組立体。
【請求項１６】
請求項７乃至請求項１５のいずれかに記載のコネクタ組立体であって、
前記第１コネクタの上方から前記第２コネクタを前記第１コネクタに向けて移動させることにより、前記第２コネクタの垂直方向における位置決めを行った後、前記第２コネクタを水平方向に移動させることにより、前記第２コネクタを前記第１コネクタに対して嵌合させるように、前記第１コネクタと前記第２コネクタとは構成されている
コネクタ組立体。
【請求項１７】
請求項１６記載のコネクタ組立体であって、
前記第２コネクタの垂直方向における位置決めが行われた状態において、前記ロックバーが前記ロック受部に押しつけられるまで前記ロックバーを倒す方向に回動すると、前記第２コネクタが水平方向に移動して前記第１コネクタと前記第２コネクタとが嵌合するように構成されている
コネクタ組立体。
【請求項１８】
請求項１乃至請求項１７のいずれかに記載の第１コネクタとして使用可能なコネクタ。
【請求項１９】
請求項１乃至請求項１７のいずれかに記載の第２コネクタとして使用可能なコネクタ。
【発明の詳細な説明】
【技術分野】
【０００１】
本発明は、第１コネクタ及び第２コネクタからなるコネクタ組立体に関する。例えば、第１コネクタは、基板上に搭載固定される基板搭載コネクタであり、第２コネクタは、ケーブルを接続されるケーブルコネクタである。
【背景技術】
【０００２】
この種のコネクタ組立体としては、例えば、特許文献１に開示されたものがある。一般的に、この種のコネクタ組立体においては、ケーブルのシールド線がケーブルコネクタ（第２コネクタ）のシェル（第２シェル）に接続されている一方で、基板搭載コネクタ（第１コネクタ）のシェル（第１シェル）が基板のグランド部に接続されており、ケーブルコネクタ（第２コネクタ）と基板搭載コネクタ（第１コネクタ）との嵌合時において、ケーブルコネクタ（第２コネクタ）のシェル（第２シェル）が基板搭載コネクタ（第１コネクタ）のシェル（第１シェル）に少なくとも部分的に接触することにより、ケーブルのシールド線から基板のグランド部まで２つのシェルを介した電気的経路が構成される（例えば、特許文献１の０００２段落〜０００４段落参照）。
【０００３】
特許文献１のコネクタ組立体においては、主として、ケーブルのシールド線から基板のグランド部までの電気的経路数を増加させるべく、基板搭載コネクタのシェルとケーブルコネクタのシェルの双方に舌片を設け、互いに接続させることとしている。
【先行技術文献】
【特許文献】
【０００４】
【特許文献１】特開２００８−２７７０２０号公報
【発明の概要】
【発明が解決しようとする課題】
【０００５】
特許文献１のコネクタ組立体の場合、コネクタ組立体全体のサイズが小さくなるにつれて、シェル間の接触が十分に図れない恐れがあり、シールド性能に劣る。
【０００６】
そこで、本発明は、全体サイズが小さくなった場合であっても、シェル間の接触信頼性を確保することの可能な構造を有するコネクタ組立体を提供することを目的とする。
【課題を解決するための手段】
【０００７】
本発明によれば、第１のコネクタ組立体として、
第１コネクタを第２コネクタに対して嵌合してなるコネクタ組立体であって、
前記第２コネクタは、第２シェルを備えており、
前記第１コネクタは、複数の第１コンタクトと、該複数の第１コンタクトをピッチ方向に列設保持する第１ハウジングと、該第１ハウジングを少なくとも部分的に覆う第１シェルとを備えており、
前記第１シェルは、前記ピッチ方向に長手を有するように延びるバネ部と、前記ピッチ方向と直交する方向へ変位可能となるように前記バネ部に支持された接点部とを備えており、
前記第１コネクタと前記第２コネクタとの嵌合時に前記第２シェルに対して少なくとも前記接点部が接触することにより前記第１シェルと前記第２シェルとが接続される
コネクタ組立体が得られる。
【０００８】
また、本発明によれば、第２のコネクタ組立体として、第１のコネクタ組立体であって、
前記第１コネクタは、基板に搭載されて使用されるものであり、
前記第１シェルは、当該基板に対向する底板部を備えており、
前記バネ部は、前記底板部に形成されている
コネクタ組立体が得られる。
【０００９】
また、本発明によれば、第３のコネクタ組立体として、第２のコネクタ組立体であって、
前記第１シェルは、前記底板部から延びる端子部であって前記基板に接続固定される端子部を更に備えている
コネクタ組立体が得られる。
【００１０】
また、本発明によれば、第４のコネクタ組立体として、第２又は第３のコネクタ組立体であって、
前記第１ハウジングは主として前記第１コネクタの後半部において前記第１コンタクトを保持しており、
前記底板部は主として前記第１コネクタの前半部において前記ピッチ方向に長手を有するように設けられている
コネクタ組立体が得られる。
【００１１】
また、本発明によれば、第５のコネクタ組立体として、第１乃至第４のいずれかのコネクタ組立体であって、
前記バネ部及び前記接点部は少なくとも２組あり、
前記接点部は、前記第１シェルの前記ピッチ方向の中心に対して対称となるように設けられている
コネクタ組立体が得られる。
【００１２】
また、本発明によれば、第６のコネクタ組立体として、第１乃至第５のいずれかのコネクタ組立体であって、
前記接点部は、垂直方向に変位するように、前記バネ部に支持されている
コネクタ組立体が得られる。
【００１３】
また、本発明によれば、第７のコネクタ組立体として、第１乃至第６のいずれかのコネクタ組立体であって、
前記第１コネクタは、ロック受部を有しており、
前記第２コネクタは、複数の第２コンタクトと、該複数の第２コンタクトを保持する第２ハウジングと、該第２ハウジングに回転自在に保持されたロックバーとを更に備えており、
前記第２シェルは、前記第２ハウジングを少なくとも部分的にカバーするものであり、
前記ロックバーは、前記第１コネクタと前記第２コネクタとの嵌合時において倒す方向へ回動させられた際に、前記ロック受部に押しつけられ、それによって前記嵌合の状態がロックされる
コネクタ組立体が得られる。
【００１４】
また、本発明によれば、第８のコネクタ組立体として、第７のコネクタ組立体であって、
前記第２コネクタは、前記ロックバーが前記ロック受部に押しつけられた状態において前記ロックバーが起きてしまうことを防止することにより前記ロックを維持するロック維持部を備えている
コネクタ組立体が得られる。
【００１５】
また、本発明によれば、第９のコネクタ組立体として、第８のコネクタ組立体であって、
前記第１コネクタと前記第２コネクタとの前記嵌合がロックされている際、前記ロックバーは、垂直方向と直交する方向において前記ロック受部に押しつけられており、
前記ロックが維持されている状態において、前記ロック維持部は、前記垂直方向と斜交する方向において、前記ロックバーの上方に位置している
コネクタ組立体が得られる。
【００１６】
また、本発明によれば、第１０のコネクタ組立体として、第９のコネクタ組立体であって、
前記嵌合がロックされている際、前記ロックバーは前後方向において前記ロック受部に押しつけられており、
前記ロックが維持されている状態において、前記ロック維持部は、前記垂直方向及び前記前後方向の双方と斜交する方向において、前記ロックバーの上方に位置している
コネクタ組立体が得られる。
【００１７】
また、本発明によれば、第１１のコネクタ組立体として、第１０のコネクタ組立体であって、
前記ロックが維持されている状態において、前記ロック維持部は、前記垂直方向、前記前後方向及び前記ピッチ方向のいずれとも斜交する方向において、前記ロックバーの上方に位置している
コネクタ組立体が得られる。
【００１８】
また、本発明によれば、第１２のコネクタ組立体として、第８乃至第１１のいずれかのコネクタ組立体であって、
前記ロック維持部は、前記垂直方向と直交する方向において前記第１ハウジングから突出している
コネクタ組立体が得られる。
【００１９】
また、本発明によれば、第１３のコネクタ組立体として、第１２のコネクタ組立体であって、
前記ロック維持部の表面は、少なくとも部分的に、金属からなる保護部により保護されている
コネクタ組立体が得られる。
【００２０】
また、本発明によれば、第１４のコネクタ組立体として、第１３のコネクタ組立体であって、
前記保護部は、前記第２シェルの一部として形成されている
コネクタ組立体が得られる。
【００２１】
また、本発明によれば、第１５のコネクタ組立体として、第８乃至第１４のコネクタ組立体であって、
前記ロックバーを倒す方向に回動させた際に、前記ロックバーは変形しながら前記ロック維持部を乗り越えるように構成されている
コネクタ組立体が得られる。
【００２２】
また、本発明によれば、第１６のコネクタ組立体として、第７乃至第１５のいずれかのコネクタ組立体であって、
前記第１コネクタの上方から前記第２コネクタを前記第１コネクタに向けて移動させることにより、前記第２コネクタの垂直方向における位置決めを行った後、前記第２コネクタを水平方向に移動させることにより、前記第２コネクタを前記第１コネクタに対して嵌合させるように、前記第１コネクタと前記第２コネクタとは構成されている
コネクタ組立体が得られる。
【００２３】
また、本発明によれば、第１７のコネクタ組立体として、第１６のコネクタ組立体であって、
前記第２コネクタの垂直方向における位置決めが行われた状態において、前記ロックバーが前記ロック受部に押しつけられるまで前記ロックバーを倒す方向に回動すると、前記第２コネクタが水平方向に移動して前記第１コネクタと前記第２コネクタとが嵌合するように構成されている
コネクタ組立体が得られる。
【００２４】
また、本発明によれば、上述した第１乃至第１７のいずれかのコネクタ組立体における第１コネクタとして使用可能なコネクタや第２コネクタとして使用可能なコネクタが得られる。
【発明の効果】
【００２５】
本発明によれば、コンタクトのピッチ方向（即ち、多ピンのコネクタの場合、コネクタ自体の長手方向）に延びるバネ部によって接点部を支持する構成としたため、コネクタ組立体が小さくなっていったとしてもバネ部に関し十分なバネ長を確保することができることから、シェル間の接触の高い安定性を得ることができ、従って、高いシールド効果を得ることができる。
【図面の簡単な説明】
【００２６】
【図１】本発明の実施の形態による第１コネクタ及び第２コネクタからなるコネクタ組立体を示す斜視図である。ここで、図示された第１コネクタと第２コネクタとは分離されている。
【図２】図１のコネクタ組立体を示す他の斜視図である。ここで、図示された第２コネクタは、垂直方向（Ｚ方向）における位置決めがなされているが、未だ第１コネクタとは嵌合していない。
【図３】図１のコネクタ組立体を示す他の斜視図である。ここで、図示された第１コネクタと第２コネクタとは嵌合している。
【図４】図１のコネクタ組立体をIV--IV線に沿って示す断面図である。
【図５】図２のコネクタ組立体をＶ--Ｖ線に沿って示す断面図である。
【図６】図３のコネクタ組立体をVI--VI線に沿って示す断面図である。
【図７】図３のコネクタ組立体を底面側から見た場合の斜視図である。
【図８】図３のコネクタ組立体を示す正面図である。
【図９】図１のコネクタ組立体に含まれる第１コネクタを示す斜視図である。
【図１０】図１のコネクタ組立体に含まれる第２コネクタを示す斜視図である。
【図１１】図１０の第２コネクタを底面側から見た場合の斜視図である。
【図１２】図３のコネクタ組立体のピッチ方向（Ｙ方向）端部を拡大して示す部分拡大斜視図である。
【図１３】図１２のコネクタ組立体をXIII--XIII線に沿って示す断面図である。
【発明を実施するための形態】
【００２７】
図１乃至図８を参照すると、本発明の実施の形態によるコネクタ組立体１０は、基板（図示せず）に搭載される基板搭載コネクタとしての第１コネクタ１００と、ケーブル５０を接続されるケーブルコネクタとしての第２コネクタ２００とを嵌合してなるものである。第２コネクタ２００に接続されたケーブル５０は、第１コネクタ１００と第２コネクタ２００との嵌合部分・接続部分から見て第１コネクタ１００の前方（＋Ｘ方向）に向かって延びている。
【００２８】
特に、本実施の形態によるコネクタ組立体１０は、第１コネクタ１００と第２コネクタ２００とを分離した状態（図１及び図４参照）から第１コネクタと第２コネクタとを嵌合させた状態（第３及び第６参照）に至るまでの間、第１コネクタ１００に対して第２コネクタ２００を略Ｌ字状に（即ち、二方向に）相対的に移動させるタイプのものである。具体的には、本実施の形態によるコネクタ組立体１０の嵌合動作においては、まず、図１及び図４に示されるように第２コネクタ２００が第１コネクタ１００の上方に位置している状態から、第２コネクタ２００を第１コネクタ１００側に向けて（即ち、下方に）移動させて、第２コネクタ２００を第１コネクタ１００と当接させ、これにより第１コネクタ１００に対する第２コネクタ２００の垂直方向（Ｚ方向）における位置決めを行う（図２及び図５参照）。次いで、第２コネクタ２００を水平方向（本実施の形態においては、第１コネクタ１００の前方、即ち、＋Ｘ方向）に移動させ、それによって第２コネクタ２００を第１コネクタ１００に対して嵌合する。
【００２９】
詳しくは、第１コネクタ１００は、図９に示されるように、導電性材料からなる複数の第１コンタクト１１０と、絶縁性材料からなる第１ハウジング１２０と、金属からなる第１シェル１３０とを備えている。複数の第１コンタクト１１０は、第１ハウジング１２０によりピッチ方向（Ｙ方向）に列設保持されている。本実施の形態による第１コンタクト１１０は、第１ハウジング１２０と共にインサート成型されたものであり、相手方コンタクトとなる第２コネクタ２００の第２コンタクト２１０と接触する第１接触部１１２と、第１コネクタ１００が搭載される基板（図示せず）に形成された信号パターンと接続されるＳＭＴ部１１４とを備えている。本実施の形態においては、第１接触部１１２は、ＸＺ平面内において略Ｕ字形状断面を有しており、略Ｕ字形状の底部は第１コネクタ１００の後方（−Ｘ方向）に向いている。第１接触部１１２は、第１コネクタ１００の後側半分の部分（後半部）において第１ハウジング１２０に組み込まれている。即ち、第１接触部１１２は第１コネクタ１００の後半部において第１ハウジング１２０に保持されている。一方、ＳＭＴ部１１４は、第１ハウジング１２０と第１シェル１３０とで囲まれた領域１０５内に位置している。
【００３０】
図９及び図１２に示されるように、第１シェル１３０は、ピッチ方向（Ｙ方向）に長手を有する底板部１３２と、底板部１３２のピッチ方向両端に設けられて第１ハウジング１２０の両端部をカバーする側部１３４と、側部１３４の後端側においてＺ方向に立ち上がるように形成されたロック受部１３６と、ロック受部１３６から斜め後方に向かって延びるガイド部１３８とを備えている。底板部１３２は、第１コネクタ１００の前側半分の部分（前半部）に位置しており、且つ、第１コネクタ１００の搭載される基板（図示せず）と対向するように設けられている。
【００３１】
本実施の形態によるロック受部１３６は、Ｚ方向及びＹ方向で規定される平面（Ｘ方向に直交する垂直面）を有している。また、ガイド部１３８は、Ｘ方向及びＺ方向の双方に斜交する平面を有している。
【００３２】
図９に示されるように、底板部１３２には、２組のバネ部１４０及び接点部１４２が形成されている。これら２組のバネ部１４０及び接点部１４２は、第１シェル１３０のピッチ方向の中心に対して対称となるように配置されている。詳しくは、各バネ部１４０は、ピッチ方向（Ｙ方向）に長手を有しており、第１シェル１３０のピッチ方向の中心側の端部を自由端とするように、延びている。接点部１４２は、第１コネクタ１００と第２コネクタ２００との嵌合時において第２シェル２３０に押圧接続される部分である。この接点部１４２は、バネ部１４０によって支持されており、ピッチ方向と直交する方向に変位可能となっている。特に、本実施の形態における接点部１４２は、垂直方向（Ｚ方向）に変位することができる。このように、本実施の形態による接点部１４２は、第１コネクタ１００の長手方向であるピッチ（コンタクトピッチ）方向に延びるバネ部１４０に支持されているため、第１コネクタ１００のサイズ自体が小さくなったとしてもバネ部１４０を比較的大きくとることができるので必要なバネ性を確保し易く、従って、第２シェル２３０との接続の信頼性を高めることができる。また、バネ部１４０が底板部１３２に設けられ、かつ底板部１３２と対向する上板部がない構成のため、コネクタの高さ方向（Ｚ方向）の高さを低くすることができる。
【００３３】
更に、第１シェル１３０は、底板部１３２から前方（＋Ｘ方向）に向かって延びる端子部１５０が形成されている。この端子部１５０は、第１コネクタ１００が搭載される基板（図示せず）上に設けられたグランド部に対して接続固定されるものである。本実施の形態による第２コネクタ２００は、図１乃至図８に示されるように、第１コネクタ１００と第２コネクタ２００との嵌合部から見てケーブル５０が前方に向かって延びているものであり、本実施の形態による端子部１５０は、底板部１３２の前側に位置している。図４に示されるように、ケーブル５０は、電気信号を伝達する信号線（中心導体）５２と、その信号線５２を電気的にシールドするシールド線（外部導体）５４とを備えるものであり、シールド線５４は後述するようにして第２シェル２３０に接続されている。本実施の形態においては、かかる第２シェル２３０と第１シェル１３０との接続部近傍に端子部１５０が位置していることから、ケーブル５０のシールド線５４を基板（図示せず）のグランド部まで比較的短い電気的経路にて接続することができる（図６参照）。
【００３４】
特に、本実施の形態においては、上述したように、２組のバネ部１４０及び接点部１４２が第１シェル１３０のピッチ方向の中心を挟むようにしてバランス良く対向配置されていることから、第１シェル１３０と第２シェル２３０との接続時においてシールド効果の偏りがない。また、バネ部１４０及び接点部１４２が側面や上部ではなく底板部１３２に形成されている（即ち、底部近傍に位置している）ことから、第１シェル１３０と第２シェル２３０との接続点を第１コネクタ１００の搭載される基板（図示せず）に近づけることができる。この点も、ケーブル５０のシールド線から基板（図示せず）のグランド部までの電気的経路を短くすることに寄与している。
【００３５】
図１０及び図１１を参照すると、第２コネクタ２００は、導電性材料からなる複数の第２コンタクト２１０と、絶縁性材料からなる第２ハウジング２２０と、金属からなる第２シェル２３０と、金属からなるロックバー２６０とを備えている。複数の第２コンタクト２１０は、第２ハウジング２２０によってピッチ方向（Ｙ方向）に列設保持されている。本実施の形態による第２コンタクト２１０は、第２ハウジング２２０と共にインサート成型されたものであり、第１コンタクト１１０の第１接触部１１２と接触する略鉤状の第２接触部２１２を備えている（図４参照）。図２及び図５に示されるように第１コネクタ１００に対して第２コネクタ２００の垂直方向（高さ方向：Ｚ方向）における位置決めがなされた時点では、第１接触部１１２と第２接触部２１２とは接続されていないが、そこから第２コネクタ２００を水平移動させると、図３及び図６に示されるように、略鉤状の第２接触部２１２内に第１接触部１１２が挿入接続されることとなり、それによって第１コンタクト１１０と第２コンタクト２１０との接続が図られる。
【００３６】
本実施の形態による第２ハウジング２２０は、その両端部分においてロックバー２６０を回転自在（回動可能）に保持している。本実施の形態によるロックバー２６０は、ピッチ方向（Ｙ方向）に延びる主部２６２と、ピッチ方向（Ｙ方向）と斜交する方向へ向かって主部２６２の両端から延びる被維持部２６４と、被維持部２６４から延び且つ略Ｕ字状に折り曲げられた略Ｕ字状部２６６とを備えている。略Ｕ字状部２６６の端部が前述したように第２ハウジング２２０に回動支持されている。なお、第２ハウジング２２０には、被維持部２６４に対応するように突出した“ひさし部”２２４が設けられている（図１２参照）。このひさし部２２４は、垂直方向（Ｚ方向）と直交する方向に突出している。特に、本実施の形態によるひさし部２２４は、ピッチ方向（Ｙ方向）及び前後方向（Ｘ方向）と斜交するエッジ２２６を有している。このエッジ２２６は、第１コネクタ１００と第２コネクタ２００との嵌合状態を後述するようにしてロックバー２６０にてロックした際に、ロックバー２６０の被維持部２６４の延びる方向に対応して延びている。なお、コネクタ全体のサイズを小さくすると、コネクタ同士の嵌合保持力が小さくなるのでコネクタ同士の嵌合がはずれ易くなったり、またコネクタの嵌合操作が不便になったりするため、本実施の形態に例示するようなロックバー２６０の構成が必要となる。
【００３７】
本実施の形態による第２シェル２３０は、上側シェル２４０と下側シェル２５０とを備えている。
【００３８】
上側シェル２４０は、第２ハウジング２２０の形成時にインサート成型されることで、第２ハウジング２２０に対して組み込まれたものである。この上側シェル２４０の一部は、図１２及び図１３に示されるように、第２ハウジング２２０のひさし部２２４に組み込まれて、ひさし部２２４の強度を上げる保護部２４４が形成されている。本実施の形態においては、ひさし部２２４と保護部２４４とでロック維持部２７０が構成されている。ロック維持部２７０は、後に詳述するように、ロックバー２６０によるロックを維持するためのものである。
【００３９】
一方、下側シェル２５０は、上側シェル２４０のようにインサート成型されたものではなく、第２コネクタ２００に対するケーブル５０の接続後に第２コネクタ２００の下側に取り付けられるものである。詳しくは、ケーブル５０のシールド線５４をグランドバー７０に接続し、信号線５２を第２コンタクト２１０に接続することで、ケーブル５０の第２コネクタ２００に対する接続を行う。その後、下側シェル２５０を第２ハウジング２２０の底面に取り付け、その際に、上側シェル２４０に対する下側シェル２５０の接続も行う。次いで、グランドバー７０に対して下側シェル２５０に設けられた半田付け部２５４を半田付けする。このようにして、ケーブル５０のシールド線５４に対して第２シェル２３０（下側シェル２５０）を電気的に接続する。
【００４０】
以下においては、本発明の実施の形態によるコネクタ組立体１０の第１コネクタ１００と第２コネクタ２００との嵌合動作及びその嵌合状態のロック動作について、図面を参照して更に説明する。
【００４１】
まず、図１及び図４に示される状態から第２コネクタ２００を第１コネクタ１００に向けて（即ち、下方に）移動して図２及び図５に示される状態とする。この際、図７に示されるように、バネ部１４０によって接点部１４２が下側シェル２５０に押し付けられ、第１シェル１３０と第２シェル２３０との接続が図られる。
【００４２】
更に、図２、図５及び図７に示される状態において、第２コネクタ２００を第１コネクタ１００に対して水平方向（具体的には、＋Ｘ方向）に相対移動させ、それによって図３、図６及び図８に示されるように、第２コネクタ２００と第１コネクタ１００とを嵌合する。第２コネクタ２００の第１コネクタ１００に対する相対移動の間、図７及び図８から理解されるように、本実施の形態による接点部１４２は下側シェル２５０上を摺動することになるが接点部１４２が十分なバネ力を有するバネ部１４０により支持されていることから接点部１４２と下側シェル２５０との接触は維持されたままである。
【００４３】
ここで、本実施の形態においては、第２コネクタ２００の第１コネクタ１００に対する相対的水平移動をロックバー２６０の操作により行うこととしている。詳しくは、図２、図５及び図７に示される状態において、ロックバー２６０を第１コネクタ１００の後方に向けて倒すように回動させると、ロックバー２６０の略Ｕ字状部２６６がガイド部１３８に押し当たり、それによって略Ｕ字状部２６６の一端を回動支持する第２ハウジング２２０が＋Ｘ方向に移動することとなる。これにより、上述したような第２コネクタ２００の第１コネクタ１００に対する相対的水平移動が行われる。この水平移動は、ロックバー２６０を更に倒すことにより、ガイド部１３８にガイドされた略Ｕ字状部２６６が図１２に示されるようにロック受部１３６に対して押し付けられるまで行われる。なお、ロック受部１３６はＸ方向に直交する平面を有しているので、ロックバー２６０の略Ｕ字状部２６６は、Ｘ方向（垂直方向と直交する前後方向）においてロック受部１３６に押し付けられることとなる。このように、ロック受部１３６に対してロックバー２６０が押し付けられると、第１コネクタ１００と第２コネクタ２００との嵌合状態がロックされる。
【００４４】
また、本実施の形態においては、ロックバー２６０を倒す過程であって、ロックバー２６０がロック受部１３６に押し付けられる前段階において、ロックバー２６０が一時的に変形して、ロックバー２６０の被維持部２６４がロック維持部２７０（本実施の形態においては、ひさし部２２４のエッジ２２６に対して保護部２４４を組み込んでなる）を乗り越えるように構成されている。
【００４５】
このように構成されているため、図３及び図６に示されるように第２コネクタ２００が第１コネクタ１００に嵌合した状態においては、図１３に示されるように、ロックバー２６０の被維持部２６４がロック維持部２７０の斜め下に位置することとなる。換言すると、ロック維持部２７０は、嵌合ロックが維持されている状態において、垂直方向と斜交する方向においてロックバー２６０の上方に位置している。
【００４６】
特に、本実施の形態においては、ロックバー２６０の略Ｕ字状部２６６がロック受部１３６に対して前後方向（Ｘ方向）において押し付けられていることから、ロック維持部２７０は少なくとも垂直方向（Ｚ方向）と前後方向（Ｘ方向）の双方に斜交する方向においてロックバー２６０の被維持部２６４の上方に位置するように構成されている。より具体的には、被維持部２６４及びロック維持部２７０のエッジがピッチ方向（Ｙ方向）及び前後方向（Ｘ方向）との双方に直交しているので、本実施の形態によるロック維持部２７０は、垂直方向（Ｚ方向）、ピッチ方向（Ｙ方向）及び前後方向（Ｘ方向）のいずれにも斜交する方向において、ロックバー２６０の被維持部２６４の上方に位置している。
【００４７】
従って、ロックバー２６０が再度変形してロックバー２６０の被維持部２６４がロック維持部２７０を乗り越えて戻らない限り、ロックバー２６０による第１コネクタ１００と第２コネクタ２００との嵌合状態のロックが維持される。更に、ロックバー２６０の被維持部２６４がロック維持部２７０を乗り越える際、ロックバー２６０を操作した操作者は、ロックバー２６０の一時的な変形等によるクリック感を得ることができることから、ロックの維持がなされたか否かを容易に理解することができる。特に、このクリック感は、シェルなどに形成されたバネ状の部位を乗り越える際に生じるのではなく、バネ等と比較して硬い（少なくともバネ状ではない）部位であり、斜めに形成された比較的短い部分である被維持部２６４がロック維持部２７０を乗り越えることにより得られるものであるので、操作者が認識し易く、従って、嵌合状態のロックの維持がなされたか否かを操作者が理解することが容易になる。
【符号の説明】
【００４８】
１０      コネクタ組立体
５０      ケーブル
５２      信号線（中心導体）
５４      シールド線（外部導体）
７０      グランドバー
１００      第１コネクタ（基板搭載コネクタ）
１０５      領域
１１０      第１コンタクト
１１２      第１接触部
１１４      ＳＭＴ部
１２０      第１ハウジング
１３０      第１シェル
１３２      底板部
１３４      側部
１３６      ロック受部
１３８      ガイド部
１４０      バネ部
１４２      接点部
１５０      端子部
２００      第２コネクタ（ケーブルコネクタ）
２１０      第２コンタクト
２１２      第２接触部
２２０      第２ハウジング
２２４      ひさし部
２２６      エッジ
２３０      第２シェル
２４０      上側シェル
２４４      保護部
２５０      下側シェル
２５４      半田付け部
２６０      ロックバー
２６２      主部
２６４      被維持部
２６６      略Ｕ字状部
２７０      ロック維持部
【図１】
2011175798.tif 000003
【図２】
2011175798.tif 000004
【図３】
2011175798.tif 000005
【図４】
2011175798.tif 000006
【図５】
2011175798.tif 000007
【図６】
2011175798.tif 000008
【図７】
2011175798.tif 000009
【図８】
2011175798.tif 000010
【図９】
2011175798.tif 000011
【図１０】
2011175798.tif 000012
【図１１】
2011175798.tif 000013
【図１２】
2011175798.tif 000014
【図１３】
2011175798.tif 000015